(57)【要約】【課題】生体情報の測定が完了すると測定された生体情報データは自動的に予め指定した医療機関等へ送信することができる生体情報転送装置であること。【解決手段】生体情報測定のための部材の着脱を検知する手段により生体情報の測定の終了を検知し、同検知により通信回線に適合するデータ形式に変換するための手段や通信回線に生体情報データを送出するための手段等を備える通信ユニットが起動し、送信のための操作をしなくても生体情報の測定が完了すると生体情報データは予め指定した医療機関へ自動的に送信することができる。【選択図】図１
2006326143.tif 000002
【特許請求の範囲】
【請求項１】
生体情報を測定する生体情報センサユニットと、
互いに接続され、前記生体情報を通信回線を介して医療機関へ送信する通信ユニットと
で構成する生体情報転送装置であって、
前記生体情報センサユニットに生体情報測定のための部材を装着することにより、生体情報の測定を開始し、前記生体情報測定のための部材を除去することで前記測定された生体情報をデータ処理し、前記医療機関へ測定された生体情報を送信することを特徴とする生体情報転送装置。
【請求項２】
前記生体情報測定のための部材との着脱が可能な測定手段と
前記生体情報測定のための部材の着脱を検知する手段と
前記生体情報センサユニットの電力供給を制御する手段と
測定状態を検知する手段と
前記測定した生体情報データを取込んで記憶する手段と
前記測定した生体情報データを通信ユニットへ送出するためのインタフェース手段と
前記生体情報センサユニット全体を制御する制御手段とを備える前記生体情報センサユニットと
前記生体情報センサユニットと接続されて生体情報データを受信する手段と
前記受信した生体情報データを取込んで記憶する手段と
前記受信した生体情報データを通信回線に適合するデータ形式に変換するためのデータ形式変換手段と
通信回線に生体情報データを送出するための通信回線インタフェース手段と
前記通信ユニット全体を制御する制御手段と
を備える前記通信ユニットと
で構成することを特徴とする請求項１記載の生体情報転送装置。
【請求項３】
前記測定した生体情報データは前記通信ユニットへ送出すると前記生体情報センサユニットから消去することを特徴とする請求項１記載の生体情報転送装置。
【請求項４】
前記測定した生体情報データは前記通信ユニットへ送出すると前記生体情報センサユニットに送出済みフラグをつけて管理することを特徴とする請求項１記載の生体情報転送装置。
【請求項５】
生体情報の測定と前記測定した生体情報データを取込んで記憶する手段への取込みは生体情報センサユニットに内蔵する蓄電池の電力で稼動し、前記測定した生体情報データを取込んで記憶する手段から通信ユニットへの送出は通信ユニットから供給される電力によって稼動することを特徴とする生体情報転送装置。
【請求項６】
前記生体情報測定のための部材の着脱を検知する手段と
前記測定状態を検知する手段と
前記生体情報センサユニットの電力供給を制御する手段と
前記生体情報センサユニットの接続を検知する接続検知手段と
前記通信ユニットの電力供給を制御する手段と
を備えたことを特徴とする請求項５記載の生体情報転送装置。
【請求項７】
前記生体情報センサユニットと前記通信ユニットの接続が検知された場合に前記通信ユニットの前記生体情報センサユニットからの生体情報データ取込みを開始し生体情報データを医療機関へ送信開始することを特徴とする請求項１または請求項５記載の生体情報転送装置。
【請求項８】
通信ユニットの入力指示手段による指示が入力された場合に前記通信ユニットの前記受信した生体情報データを医療機関へ送信開始することを特徴とする請求項１から請求項７のいずれかに記載の生体情報転送装置。
【発明の詳細な説明】
【技術分野】
【０００１】
本発明は生体情報を測定し、測定した生体情報を通信回線を介して医療機関等へ転送する生体情報転送装置に関し、特に測定生体情報を簡易な操作で送信することができる生体情報転送装置に関するものである。
【背景技術】
【０００２】
従来の生体情報転送装置は、図６に示すように小型血糖測定器６０３、データ転送装置６０１、携帯電話６０２で構成されており、小型血糖測定器６０３で測定された生体情報（ここでは血糖値）はインターネット６０６、を介して医療機関６０５等へ転送される。
【０００３】
即ち、小型血糖測定器６０３で測定された血糖値データはデータ転送装置６０１に送られる。送られた血糖値データはデータ転送装置６０１において、携帯電話の通信に用いられるフォーマット形式に変換処理され、変換処理されたデータ形式の血糖値が携帯電話６０２へ送られる。携帯電話に送られた血糖値データは携帯電話の機能を使って接続されたインタネット６０６を経て所定の医療機関６０５へ送信される。
【０００４】
従って、小型血糖測定器６０３では測定した血糖値データに対して何の加工もせずにデータ転送装置へ出力さえすればよく、このことから小型血糖測定器６０３にフォーマット変換処理機能を持たせる場合と比較して小型血糖測定器の構成を簡略化することができるとしている（例えば、特許文献１参照）。
【特許文献１】特開２００２−３６８９０７号公報（第３−４頁、第５図）
【発明の開示】
【発明が解決しようとする課題】
【０００５】
しかしながら、従来の生体情報転送装置においては、測定データを医療機関等へ送信する場合に携帯電話としての操作が不可欠であることから、例えば電子機器の操作が苦手な人に対しても複雑な操作を強いることになるという問題があった。
【０００６】
本発明は、従来の問題を解決するためになされたもので、生体情報の測定が完了すると測定された生体情報データは自動的に予め指定した医療機関等へ送信することのできる生体情報転送装置を提供することを目的とする。
【課題を解決するための手段】
【０００７】
本発明の生体情報転送装置は、生体情報を測定する生体情報センサユニットと互いに接続され、生体情報を通信回線を介して医療機関へ送信する通信ユニットとで構成し、生体情報センサユニットに生体情報を測定するための部材を装着することにより、生体情報の測定を開始し、同部材を除去することで測定された生体情報をデータ処理し、予め指定されている医療機関へ測定された生体情報を送信することを特徴としている。
【０００８】
この構成により、被検査者は生体情報を測定するための部材例えば生体情報である血糖値を測定する場合に測定のための電極を生体情報センサユニットに装着し、測定終了後除去すれば測定した生体情報は予め指定した医療機関へ送信することができる。そのため送信のための被検査者の操作を不要にすることができる。
【０００９】
また、本発明の生体情報転送装置は生体情報を測定するための部材の着脱が可能な測定手段、部材の着脱を検知する手段、電力供給を制御する手段、測定状態を検知する手段、測定した生体情報データを取込んで記憶する手段、測定した生体情報データを通信ユニットへ送出するためのインタフェース手段そして全体を制御する制御手段とを備えている生体情報センサユニットと、一方、生体情報センサユニットと接続されて生体情報データを受信する手段、受信した生体情報データを取込んで記憶する手段、受信した生体情報データを通信回線に適合するデータ形式に変換するためのデータ形式変換手段、通信回線に生体情報データを送出するための通信回線インタフェース手段そして制御手段とを備えている通信ユニットとで構成されていることを特徴としている。
【００１０】
この構成により、通信ユニットは生体情報センサユニットとの接続状態を検知することができるようになり、また生体情報センサユニットで行われる生体情報の測定状態即ち、測定のために電極が装着されたこと、測定中であること、電極が除去されたこと等の測定状態を検知することができることになる。さらに、この構成により測定した生体情報を医療機関へ送信することができることとなる。
【００１１】
また、本発明の生体情報転送装置は測定した生体情報データを通信ユニットへ送出すると生体情報センサユニットから消去することを特徴としている。
【００１２】
この構成により生体情報センサユニットの測定データを記憶するメモリ容量は最小限に構成することができると同時に測定した生体情報は確実に通信ユニットに送出することになる。
【００１３】
また、本発明の生体情報転送装置は測定した生体情報データを通信ユニットへ送出すると生体情報センサユニットに送出済みフラグをつけて管理することを特徴としている。この構成により、生体情報センサユニットの測定データは未送出の測定データと区別して記憶することができ、再送要求に対応することも可能になる。
【００１４】
また、本発明の生体情報転送装置は生体情報の測定と、測定した生体情報データを取込んで記憶する手段への取込みを生体情報センサユニットに内蔵する蓄電池の電力で稼動し、測定した生体情報データを取込んで記憶する手段から通信ユニットへの送信は、通信ユニットから供給される電力によって稼動することを特徴としている。
【００１５】
この構成により、生体情報センサユニットに内蔵する蓄電池は生体情報転送装置において必要最小限の稼動のみを賄えばよいことになり、内蔵蓄電池の小型化または測定回数の拡大または必要とする蓄電池交換の期間を長くすることができる。
【００１６】
また、本発明の生体情報転送装置は部材の着脱を検知する手段、状態を検知する手段、生体情報センサユニットの電力供給を制御する手段、生体情報センサユニットの接続を検知する接続検知手段および通信ユニットの電力供給を制御する手段とを備えたことを特徴としている。
【００１７】
この構成により、生体情報センサユニットに内蔵する蓄電池の適切な稼動と切断とを行うことが可能になり、内蔵する蓄電池の省電力化が図れることになる。また測定した生体情報データを通信ユニットの稼動の中で生体情報センサユニットから通信ユニットへ取り込むことができることになる。
【００１８】
また、本発明の生体情報転送装置は生体情報センサユニットと通信ユニットの接続が検知された場合に通信ユニットの生体情報センサユニットからの生体情報データの取り込みを開始し生体情報データを医療機関へ送信開始することを特徴としている。
【００１９】
この構成により、例えば生体情報センサユニットを通信ユニットと独立して生体情報の測定を行った場合においても被検査者は生体情報センサユニットを通信ユニットに接続するだけで測定データを生体情報センサユニットから通信ユニットへ送出し、さらに医療機関への送信を行うことができることになる。
【００２０】
また、本発明の生体情報転送装置は通信ユニットの入力指示手段による指示が入力された場合に通信ユニットの受信した生体情報データを医療機関へ送信開始することを特徴としている。
【００２１】
この構成により、通信ユニット内にある生体情報を任意のタイミングで医療機関へ送信することができることになり、必要に応じて再送することも可能にしている。
【発明の効果】
【００２２】
本発明は、生体情報の測定が完了すると測定された生体情報データは予め指定した医療機関等へ自動的に送信することができ、被検査者は送信のための操作を必要としないという効果を有する生体情報転送装置を提供することができるものである。
【発明を実施するための最良の形態】
【００２３】
以下、本発明を実施するための最良の形態について、図面を参照しながら説明する。尚、全図を通じて同一符号は同一対象物を表す。
【００２４】
（実施の形態１）
図１は、本発明の第１の実施の形態における生体情報転送装置の構成図である。図１において、生体情報転送装置１１０は生体情報センサユニット１１１、通信ユニット１１２で構成し相互に接続されている。生体情報センサユニット１１１は個別に蓄電池を内蔵し、生体情報被検査者１００の生体情報測定は通信ユニット１１２と切り離して単独で稼動することもできる。通信ユニット１１２は生体情報センサユニット１１１の接続の有無を検知し、生体情報センサユニット１１１に記憶されている測定生体情報データを取り込み、通信回線に適合するデータ形式に変換する。そして通信ユニット１１２が通信回線網１２０へ送出し、予め登録されている医療機関１３０へ送信する。
【００２５】
以上のように構成された生体情報転送装置について、図２から図４を用いてさらに詳細を説明する。以降、測定対象生体情報は血糖値としてより具体的に説明する。図２は生体情報センサユニットの機能ブロック図を示す。
【００２６】
生体情報センサユニット１１１は生体情報測定のための部材である測定電極２０１、測定電極２０１の着脱が可能な測定手段である測定部２１０、測定電極２０１の着脱を検知する手段である電極検知部２１１、生体情報センサユニット１１１の電力供給を制御する手段である電力制御部２２１、測定状態を検知する手段である測定状態検知部２２２、測定した生体情報データを取り込んで記憶する手段であるセンサユニットメモリ部２１３、測定した生体情報データを通信ユニット１１２へ送出するためのインタフェース手段である通信ユニットインタフェース部２２３、生体情報センサユニット１１１全体を制御する制御手段であるセンサユニット制御部２１２、で構成される。
【００２７】
血糖値の測定は最初に測定のための準備として生体情報被検査者１００から微少量の血液を測定電極２０１へ採取する。そして被検査者が血液滴を搭載した測定電極２０１を測定部２１０へ装着することにより開始される。
【００２８】
即ち、測定電極２０１の装着を電極検知部２１１が検知すると電極検知部２１１は電力制御部２２１に対して内蔵する電源部２２０の電力を生体情報センサユニット１１１内に供給するための指示を出す。その結果、生体情報センサユニット１１１内は電力制御部２２１の制御により電源部２２０の電力が供給され、測定のための稼動状態が確立する。
【００２９】
測定部２１０で測定された血糖値はセンサユニット制御部２１２を介してセンサユニットメモリ部２１３へ送られ、センサユニット制御部２１２で生成された測定現在日時データとともにセンサユニットメモリ部２１３で記憶される。また測定された血糖値は表示部２１４で表示して被検査者１００へ伝達される。被検査者は表示された測定血糖値を確認するとともに、例えば測定時の状態即ち、空腹時での測定かあるいは食後２時間での測定かを操作部２１５から入力する。また測定の有効／無効の指示もこのタイミングで与えることができる。操作部２１５から入力した被検査者の指示はセンサユニット制御部２１２を介して測定血糖値と関係してセンサユニットメモリ部２１３で記憶される。
【００３０】
図４に測定血糖値等管理テーブルの一例を示す。測定血糖値等管理テーブルはセンサユニットメモリ部２１３で記憶する測定日時と測定血糖値そして被検査者が入力指示した内容で構成される。被検査者が入力指示した内容、例えば空腹時測定の指示は“食後マーク” に“０”を、食後２時間の指示は同“１”で示している。また測定の有効は“無効／有効”に“０”を、無効の指示は同“１”で示している。
【００３１】
被検査者１００が生体情報センサユニット１１１の表示部２１４で測定結果を確認し、前記した被検査者の指示操作が終わると、血糖値の測定は終了することから被検査者は不要になった測定電極２０１を生体情報センサユニット１１１から除去する。測定電極２０１が除去されると電極検知部２１１が除去を検知する。その結果、電極検知部２１１は電力制御部２２１に対して測定のための電力供給停止を指示し、センサユニットメモリ部２１３の測定血糖値データを保持した状態で電力が停止する。
【００３２】
一方、測定電極２０１の装着と除去の検知は電極検知部２１１から通信ユニットインタフェース部２２３を介して通信ユニット１１２へ伝達される。
【００３３】
図３は通信ユニット１１２の機能ブロック図を示す。通信ユニット１１２は生体情報センサユニット１１１と接続されて生体情報データを受信する手段であるセンサユニットインタフェース部３１０、受信した生体情報データを取込んで記憶する手段である通信ユニットメモリ部３１２、受信した生体情報データを通信回線に適合するデータ形式に変換するためのデータ形式変換手段であるデータ形式変換部３１４、通信回線に生体情報データを送出するための通信回線インタフェース手段である通信回線インタフェース部３１５、通信ユニット全体を制御する制御手段である通信ユニット制御部３１１、生体情報センサユニットの接続を検知する接続検知手段であるユニット接続検知部３２２、通信ユニットの電力供給を制御する手段である通信電力制御部３２１から構成する。
【００３４】
通信ユニット１１２は電源部３２０から供給される電力により駆動している。そしてユニット接続検知部３２２が生体情報センサユニット１１１との接続を検知している状態で、前記通信ユニット１１２へ伝達された測定電極２０１の装着と除去の検知は、センサユニットインタフェース３１０を介して通信ユニット制御部３１１に伝達される。
【００３５】
通信ユニット制御部３１１は測定電極２０１除去の検知が伝達されると通信電力制御部３２１に指示して電源部３２０の電力を生体情報センサユニット１１１の電力制御部２２１へ供給する。その結果、生体情報センサユニット１１１に内蔵する電源部２２０に替わって、センサユニット制御部２１２、センサユニットメモリ部２１３、通信ユニットインタフェース部２２３が稼働状態になり、通信ユニット制御部３１１の指示に基づきセンサユニット制御部２１２はセンサユニットメモリ部２１３に記憶している測定血糖値等管理テーブルから血糖値データと関連情報を読み出し、通信ユニットインタフェース部２２３へ送出する。
【００３６】
通信ユニットインタフェース部２２３に送出された同データは通信ユニット制御部３１１の指示によりセンサユニットインタフェース部３１０を介して通信ユニットメモリ部３１２へ取り込まれる。通信ユニット制御部３１１はセンサユニット制御部２１２に対して、送出した血糖値データと関連情報をセンサユニットメモリ部２１３から削除することを指示し、次の血糖値データと関連情報の読出しと送出を指示する。
【００３７】
センサユニットメモリ部２１３の測定血糖値等管理テーブルから全ての血糖値データと関連情報が読み出されるまで以上の動作は繰り返し行われる。全ての血糖値データと関連情報が通信ユニットメモリ部３１２に取り込まれると通信ユニット制御部３１１は生体情報センサユニット１１１への電力供給を通信電力制御部３２１へ指示して止める。
【００３８】
次に、通信ユニット制御部３１１は通信ユニットメモリ部３１２に取り込んだ血糖値データと関連情報を順次医療機関１３０へ送信する。即ち、通信ユニットメモリ部３１２に取り込んだ血糖値データと関連情報をデータ形式変換部３１４に送り、通信回線に適合する所定のデータ形式に変換し、通信回線インタフェース部３１５を介して通信回線１２０へ送出し、医療機関１３０へ送信する。前記送信は通信ユニットメモリ部３１２にある全ての血糖値データと関連情報が送信されるまで繰り返して行われ、全てのデータが送信完了すれば、通信ユニット制御部３１１は送出した血糖値データと関連情報を通信ユニットメモリ部３１２から削除する処理を行う。
【００３９】
このような本発明の第１の実施の形態の生体情報転送装置によれば、生体情報測定のための部材の着脱が可能な測定手段と部材の着脱を検知する手段と生体情報センサユニットの電力供給を制御する手段と測定状態を検知する手段と測定した生体情報データを取り込んで記憶する手段と測定した生体情報データを通信ユニットへ送出するためのインタフェース手段と生体情報センサユニット全体を制御する制御手段とを備える生体情報センサユニットと生体情報センサユニットと接続されて生体情報データを受信する手段と受信した生体情報データを取り込んで記憶する手段と受信した生体情報データを通信回線に適合するデータ形式に変換するためのデータ形式変換手段と通信回線に生体情報データを送出するための通信回線インタフェース手段と通信ユニット全体を制御する制御手段と生体情報センサユニットの接続を検知する接続検知手段とを備える通信ユニットを設けることにより、被検査者は送信のための操作をしなくても生体情報の測定が完了すると測定された生体情報データは予め指定した医療機関へ自動的に送信することができる。
【００４０】
また、生体情報センサユニットに内蔵する蓄電池は生体情報の外部医療機関への送信には使用しないで、生体情報測定のみに限定することから内蔵する蓄電池の省電力化を図ることができる。
【００４１】
（実施の形態２）
本発明の第２の実施の形態について説明する。第２の実施の形態は生体情報センサユニットの接続を検知する接続検知手段を設けるよう構成している。図５は本発明の第２の実施の形態における生体情報転送装置の動作シーケンス図である。図５において“接続状態”は生体情報センサユニット１１１と通信ユニット１１２との接続の有無（有は接、無は断に対応）を示している。“電極状態”は測定電極２０１の測定部２１０への着脱状態を示す。“測定データのユニット間移動”は生体情報センサユニット１１１から通信ユニット１１２へデータの移動を示している。“測定”は生体情報センサユニット１１１が測定状態にあるか否かを示している。“データ送信”は生体情報転送装置１１０から外部医療機関１３０への送信の状態を示している。
【００４２】
生体情報センサユニット１１１は前記したように個別に蓄電池を内蔵し、生体情報の測定時は単独で稼動することができ、通信ユニット１１２と物理的に切り離した状態でも生体情報の測定ができる。生体情報測定の手順は通信ユニット１１２との接続の有無に関係なく前記した電極に生体情報被検査者１００から微少量の血液を測定電極２０１へ採取し、そして被検査者が血液滴を搭載した測定電極２０１を測定部２１０へ装着することにより測定が開始され、以降測定した血糖値データ等をセンサユニットメモリ部２１３へ記憶し、測定電極２０１の除去を検知して自身の電力を停止するまで生体情報センサユニット１１１は前記した同じ測定のための動作を行う。
【００４３】
生体情報センサユニット１１１には通信ユニット１１２と独立した状態で測定を行った回数分の測定血糖値データ等が記憶されている（（１）−１、（１）−２）。この状態で通信ユニット１１２に生体情報センサユニット１１１が接続される（（ａ）のタイミング）と通信ユニット１１２にあるユニット接続検知部３２２が生体情報センサユニット１１１の接続を検知すると生体情報センサユニット１１１にある測定データを通信ユニット１１２に取り込み、そして外部医療機関１３０への送信を行う。
【００４４】
即ち、通信ユニット制御部３１１は通信電力制御部３２１に指示して電源部３２０の電力を生体情報センサユニット１１１の電力制御部２２１へ供給し、センサユニットメモリ部２１３の血糖値データと関連情報を読み出してセンサユニットインタフェース３１０を介して通信ユニットメモリ部３１２へ取り込む。取り込みが終わるとセンサユニットメモリ部２１３の測定血糖値等管理テーブル上に、血糖値データと関連情報を通信ユニットメモリ部３１２へ送出済みを記録する。図４（ｂ）は測定血糖値等管理テーブルの一例を示しており、“送信済みフラグ”には前記通信ユニットメモリ部３１２へ血糖値データと関連情報の送出がおわると“１”が記録される。“送信済みフラグ”にある“０”はまだ通信ユニットメモリ部３１２へ送られてない血糖値データであることを示している。
【００４５】
全ての血糖値データと関連情報がセンサユニットメモリ部２１３から通信ユニットメモリ部３１２に取り込まれると通信ユニット制御部３１１は生体情報センサユニット１１１への電力供給を通信電力制御部３２１へ指示して止め、そして通信ユニット制御部３１１は通信ユニットメモリ部３１２に取り込んだ血糖値データと関連情報をデータ形式変換部３１４、通信回線インタフェース部３１５を介して通信回線１２０へ送出し、順次医療機関１３０へ送信する。
【００４６】
このような本発明の第２の実施の形態の生体情報転送装置によれば、生体情報センサユニットの接続を検知する接続検知手段を設けることにより、生体情報センサユニット１１１の接続が検知されれば、通信ユニット１１２は生体情報センサユニット１１１を稼働状態にして、生体情報センサユニット１１１が単独状態で測定した生体情報を外部医療機関１３０へ複雑な操作をすることなく送信することができる。
【００４７】
なお、以上の説明では、生体情報センサユニットの接続を検知する接続検知手段により接続が検知されたことにより生体情報センサユニット１１１から測定データを読み出し、そして外部医療機関へ送信した例について説明したが、通信ユニットの入力指示手段である入出力部３１３による指示が入力された場合に生体情報データを医療機関へ送信開始することについても同様に実施可能である。また測定対象生体情報は血糖値として説明したが血糖値測定に限定されるものではない。
【産業上の利用可能性】
【００４８】
以上のように、本発明にかかる生体情報転送装置は、生体情報の測定が完了すると測定された生体情報データは予め指定した医療機関等へ自動的に送信することができ、被検査者は送信のための操作を必要としないという効果を有し、生体情報を測定し、測定した生体情報を通信回線を介して医療機関等へ転送する生体情報転送装置に関し、特に測定生体情報を簡易な操作で送信することができる生体情報転送装置等として有用である。
【図面の簡単な説明】
【００４９】
【図１】本発明の実施の形態１における生体情報転送装置の構成図
【図２】本発明の実施の形態１における生体情報転送装置の生体情報センサユニット機能ブロック図
【図３】本発明の実施の形態１における生体情報転送装置の通信ユニット機能ブロック図
【図４】本発明の実施の形態１における生体情報転送装置の測定血糖値等管理テーブルの一例図
【図５】本発明の実施の形態２における生体情報転送装置の動作シーケンス図
【図６】従来の生体情報転送装置の構成図
【符号の説明】
【００５０】
１００  生体情報被検査者
１１０  生体情報転送装置
１１１  生体情報センサユニット
１１２  通信ユニット
１２０  通信回線網
１３０  医療機関
２０１  測定電極
２１０  測定部
２１１  電極検知部
２１２  センサユニット制御部
２１３  センサユニットメモリ部
２１４  表示部
２１５  操作部
２２０，３２０  電源部
２２１  電力制御部
２２２  測定状態検知部
２２３  通信ユニットインタフェース部
３１０  センサユニットインタフェース部
３１１  通信ユニット制御部
３１２  通信ユニットメモリ部
３１３  入出力部
３１４  データ形式変換部
３１５  通信回線インタフェース部
３２１  通信電力制御部
３２２  ユニット接続検知部
【図１】
2006326143.tif 000003
【図３】
2006326143.tif 000004
【図４】
2006326143.tif 000005
【図５】
2006326143.tif 000006
【図６】
2006326143.tif 000007
【図２】
2006326143.tif 000008